(57)【特許請求の範囲】
【請求項１】
複数枚の転写用紙の積載部と、該積載部内の転写用紙に対して接離するように移動駆動可能に設けた給紙コロとを備え、上記積載部を、上記給紙コロ当接部において上記転写用紙と上記積載部に隙間が空くように凹ませ、上記給紙コロの上記積載部内の転写用紙に対する接・離動作により、上記積載部内の転写用紙を捌くことを特徴とする給紙装置。
【請求項２】
複数枚の転写用紙の積載部と、該積載部内の転写用紙の先端側に対して接離するように移動駆動可能に設けた給紙コロとを備え、上記積載部を、上記給紙コロ当接部において上記転写用紙と上記積載部に隙間が空くように凹ませ、上記給紙コロの上記積載部内の転写用紙に対する接・離動作により、上記積載部内の転写用紙の先端側を捌くことを特徴とする給紙装置。
【請求項３】
複数枚の転写用紙の積載部と、該積載部内の転写用紙に対して接離するように移動駆動可能に設けた給紙コロとを備え、上記積載部の上記転写用紙を積載した面の傾斜を、該積載部内の転写用紙の後端側から先端側へ下降傾斜させ、かつ転写用紙の先端側で緩くして上記給紙コロとの当接部において上記転写用紙と上記積載部に隙間が空くように傾斜を変化させてなり、上記給紙コロの上記積載部内の転写用紙に対する接・離動作により、上記積載部内の転写用紙の先端側を捌くことを特徴とする給紙装置。
【発明の詳細な説明】
【０００１】
【発明の属する技術分野】
本発明は、ＰＰＣ複写機、ファクシミリ、プリンタ等の給紙装置に関する。
【０００２】
【従来の技術及び発明が解決しようとする課題】
廉価なカラーＰＰＣ複写機においては、白黒ＰＰＣ複写機の置き換え用としての需要が大きく、この場合、白黒ＰＰＣ用の薄手の転写紙から、カラーＰＰＣ用の厚手の転写紙に対応させる必要がある。また、手差し給紙装置については、本体給紙装置からは給紙できない、はがきやＯＨＰなどの様々な用紙を給紙できるようにすることが要求され、白黒ＰＰＣよりも幅広い用紙対応力が求められている。
【０００３】
ところが、給紙可能範囲の広いＦＲＲ給紙方式を用いても、対応しきれないほどの多くの紙種になることがあり、紙間摩擦が大きい転写用紙では分離できずに重送してしまうことが起こりやすくなる。そこで本発明は、このような状況に対応できるようにするために、分離性能を向上させた給紙装置を提供することを目的とする。
【０００４】
【課題を解決するための手段】
本発明の給紙装置のうち請求項１に係るものは、上記目的を達成するために、複数枚の転写用紙の積載部と、該積載部内の転写用紙に対して接離するように移動駆動可能に設けた給紙コロとを備え、上記積載部を、上記給紙コロ当接部において上記転写用紙と上記積載部に隙間が空くように凹ませ、上記給紙コロの上記積載部内の転写用紙に対する接・離動作により、上記積載部内の転写用紙を捌くことを特徴とする。
【０００５】
同請求項２に係るものは、複数枚の転写用紙の積載部と、該積載部内の転写用紙の先端側に対して接離するように移動駆動可能に設けた給紙コロとを備え、上記積載部を、上記給紙コロ当接部において上記転写用紙と上記積載部に隙間が空くように凹ませ、上記給紙コロの上記積載部内の転写用紙に対する接・離動作により、上記積載部内の転写用紙の先端側を捌くことを特徴とする。
【０００６】
同請求項３に係るものは、複数枚の転写用紙の積載部と、該積載部内の転写用紙に対して接離するように移動駆動可能に設けた給紙コロとを備え、上記積載部の上記転写用紙を積載した面の傾斜を、該積載部内の転写用紙の後端側から先端側へ下降傾斜させ、かつ転写用紙の先端側で緩くして上記給紙コロとの当接部において上記転写用紙と上記積載部に隙間が空くように傾斜を変化させてなり、上記給紙コロの上記積載部内の転写用紙に対する接・離動作により、上記積載部内の転写用紙の先端側を捌くことを特徴とする。
【０００７】
【発明の実施の形態】
以下本発明の実施の形態を図面を参照して説明する。
図１はカラーＰＰＣ複写機に用い得る本発明に係る給紙装置の一実施形態を示す側面断面図、図２は同斜視図である。この装置では、転写用紙の積載部は、開閉式のテーブル１に移動式のサイドフェンス２を装着してある。給紙機構は、ピックアップコロ３、フィードコロ４、リバースコロ５の３個の給紙コロを用いるＦＲＲ給紙機構を用いている。なおＦＲＲ給紙機構については周知であるので詳細な説明は省略する。
【０００８】
ピックアップコロ３は、図２に示すように、ソレノイド６、レバー７、スプリング８、９等を用い、通常はスプリング８の力でレバー７を引くことにより上がっているピックアップコロ３を、ソレノイド６をオンとすることによりレバー７を反対に引いてフィードコロ４の軸心を中心として下方へ回転させ、スプリング９の力で所定圧力でテーブル１上の転写用紙１０に任意に当接させることができるようになっている。本実施形態では、ソレノイド６、レバー７、スプリング８、９等からなる加圧機構を２組用いることによって、転写用紙１０の紙種等により任意に動作させることにより、ピックアップ圧を切り替えることが可能となっている。
【０００９】
図３に示すように、積載部のテーブル１を、用紙の挿入側（転写用紙１０の積載は、図示のように装置の図中右手から挿入するようになっている。）からピックアップコロ３にかけては下降傾斜し、ピックアップコロ３からフィードコロ４にかけて傾斜が緩くなるように構成してあり、傾斜が変わる部位の近傍部位がピックアップコロ３から離れるようにテーブル１の面を凹形状としてある。転写用紙１０を、その先端がフィードコロ４に接触するような位置にセットすると、ピックアップコロ３の下側付近では転写用紙１０のコシによりテーブル１に密着せず、テーブル１と転写用紙１０との間に隙間Ｘが生じる。
【００１０】
図３の状態から図４に示すように給紙動作を開始すると、ピックアップコロ３が転写用紙１０に当接して所定の圧力を掛け、転写用紙１０のコシはピックアップコロ３の圧力に負け、転写用紙１０はテーブル１に密着する。ピックアップコロ３の回転により転写用紙１０の先端がフィードコロ４とリバースコロ５のニップに入ったところで、ピックアップコロ３を元の位置に戻し、転写用紙１０から離間させる。すると、図５に示すように、積載部上の転写用紙１０はコシによって元の状態に戻り、テーブル１との間に隙間Ｘが再びできる。一方、フィードコロ４のニップに入った転写用紙１０は、フィードコロ４の回転によって装置内部へ送られる。複数枚の転写用紙１０がフィードコロ４とリバースコロ５のニップに入った場合は、逆回転しているリバースコロ５により分離され、テーブル１上へと戻される。
【００１１】
この動きにより、転写用紙１０が捌かれ、転写用紙１０間の密着力が弱まり、転写用紙１０の分離性が向上する。また図６に示すように、給紙動作を行うことにより、一番上の転写用紙以外も、つられてフィードコロ４方向に移動していくため、転写用紙１０の束の先端側はテーブル１に対して斜めになり、このために上の転写用紙が少しずつずれていって前（フィードコロ４側）へ出る状態になり、捌き効果も増大する。
【００１２】
さらに、テーブル１への転写用紙１０の積載の有無を検知する手段として図７に示すように、フィラー１１とフォトインタラプタ１２を設けてある。転写用紙１０がテーブル１上に無い場合には、フィラー１１が自重で下がり、フォトインタラプタ１２を遮り、テーブル１上に転写用紙１０をセットすると、転写用紙１０がフィラー１１を押し上げ、フォトインタラプタ１２の遮りが無くなる（図３参照）。またフィラー１１の位置は、ピックアップコロ３とフィードコロ４の間でテーブル１の凹部を形成する傾斜の変わり目よりもフィー所４側に設けてあり、転写用紙１０がテーブル１上に有る時にピックアップコロ３が下がると、必ず転写用紙１０に当接するだけでなく、転写用紙１０が有る時には転写用紙１０が凹部を必ずまたぐようになっているため、確実にテーブル１と転写用紙１０の間に隙間Ｘを作ることができ、捌き効果により転写用紙１０の分離性能の向上を図っている。なおフィラー１１をピックアップコロ３の近傍に設けると、図８に示すようにピックアップコロ３の下側に隙間ができにくく、捌き効果が期待できないものになる。
【００１３】
なお従来より給紙用のテーブル面にゴムやコルクの転写用紙の滑り止めも設けて、転写用紙が数枚まとめてブロック状になって給紙されることを防止しており、ピックアップコロ３の当接部にも滑り止めを設けているが、本発明の実施形態においても通常は転写用紙に接しないにもかかわらず、ピックアップコロ３の当接部となる凹部に滑り止め１３を設けている。それ以外の箇所では、転写用紙１０のコシにより滑り止めに接しない可能性が有るが（図１０参照）、ピックアップコロ３の下部であればピックアップコロ３の当接により確実に転写用紙１０が滑り止め１３に接し、ピックアップコロ３の加圧力に応じた滑り止め力が発生するので、ブロック状になって給紙されることを防止できる。
【００１４】
なお図３〜図９に示す本発明の実施形態において、図３、図７、図８以外の図ではフィラー１１とフォトインタラプタ１２の図示を省略してある。
【００１５】
【発明の効果】
本発明に係る給紙装置は、以上説明してきたようなもので、給紙コロの移動により転写用紙が捌かれるので、転写用紙の分離性能が向上するという効果がある。
【図面の簡単な説明】
【図１】カラーＰＰＣ複写機に用い得る本発明に係る給紙装置の一実施形態を示す側面断面図である。
【図２】同斜視図である。
【図３】同本発明に係る給紙装置の一実施形態の要部の拡大側面図である。
【図４】ピックアップコロが最初に作動状態になったときの拡大側面図である。
【図５】図４の状態からピックアップコロが非作動状態に戻ったときの拡大側面図である。
【図６】図５の状態からピックアップコロが作動状態に戻り、転写用紙が捌かれた状態の拡大側面図である。
【図７】フィラーとフォトインタラプタが用紙無しを検出する状態の拡大側面図である。
【図８】フィラーをピックアップコロに近付けすぎて、用紙の捌き効果が期待できない状態の拡大側面図である。
【図９】テーブル面に転写用紙の滑り止めを設けた例の拡大側面図である。
【図１０】テーブル面に転写用紙の滑り止めを設けても滑り止め効果を期待できない例の拡大側面図である。
【符号の説明】
１  テーブル
２  サイドフェンス
３  ピックアップコロ
４  フィードコロ
５  リバースコロ
６  ソレノイド
７  レバー
８、９  スプリング
１０  転写用紙
１１  フィラー
１２  フォトインタラプタ
１３  滑り止め
Ｘ  隙間
【図１】
0003697536.tif 000002
【図２】
0003697536.tif 000003
【図３】
0003697536.tif 000004
【図４】
0003697536.tif 000005
【図５】
0003697536.tif 000006
【図６】
0003697536.tif 000007
【図７】
0003697536.tif 000008
【図８】
0003697536.tif 000009
【図９】
0003697536.tif 000010
【図１０】
0003697536.tif 000011